(57)【要約】【課題】  記録材料を収納した複数のマガジンを装置の外面に装着可能な画像記録装置にあって、マガジンの交換による画像記録の乱れを防止すること。【解決手段】  マガジンを装着する筐体の側面にヒンジ４０ｂを介して接続されるマガジン台４０を複数個設ける。ヒンジ４０ｂは、水平となる装着位置と、垂直となる装着不能位置との間でマガジン台４０を移動させる。装着位置でマガジンをマガジン台４０に装着し、装着不能位置で印画紙の引き込み口４２を覆い遮光する。ロック機構４１は、装着位置にあるマガジン台４０に装着されたマガジンをロックするとともに、装着不能位置にあるマガジン台４０をロックする。マガジンが装着されていないマガジン台４０は、装着不能位置でロックされるため、画像記録時のマガジンの装着が阻止され、マガジン装着による振動や衝撃に起因する画像記録の乱れが無くなる。【選択図】        図４
2006011288.tif 000002
【特許請求の範囲】
【請求項１】
記録材料を収納した複数のマガジンが装着される装着面を有する筐体と、前記各マガジンのいずれかから送られた記録材料に対して画像記録を行う画像記録部とを備えた画像記録装置において、
前記各マガジンのそれぞれに対応して前記筐体に設けられ、前記マガジンの装着を可能とする装着位置と、前記マガジンの装着を不能とする装着不能位置とを択一的に形成するマガジン受け部材を備えたことを特徴とする画像記録装置。
【請求項２】
前記マガジン受け部材は、前記装着面と略垂直な方向に突出して前記装着位置を形成し、前記装着面と略面一となるように前記装着位置から退避して前記装着不能位置を形成することを特徴とする請求項１記載の画像記録装置。
【請求項３】
前記マガジン受け部材が前記装着不能位置にあるか否かを検出して装着不能であることを示す装着不能位置検出信号を出力する装着不能位置検出手段と、
前記装着位置にある前記マガジン受け部材に前記マガジンが装着されているか否かを検出して装着されていることを示すマガジン検出信号を出力するマガジン検出手段とを設け、
前記画像記録部は、前記装着不能位置検出信号と前記マガジン検出信号とのいずれか一方が、全ての前記マガジン受け部材で検出されたときに画像記録動作を可能とすることを特徴とする請求項１又は２記載の画像記録装置。
【請求項４】
前記装着位置にある前記マガジン受け部材に装着された前記マガジンを係止して、このマガジンの脱落を防止する係止位置と、係止を解除して前記マガジンの着脱を可能にする解除位置との間で移動するロック部材を前記各マガジン受け部材のそれぞれに対応して設け、このロック部材で前記装着不能位置にある前記マガジン受け部材を係止して前記装着不能位置に保持することを特徴とする請求項１から３のいずれか１項に記載の画像記録装置。
【請求項５】
前記ロック部材が前記係止位置にあるか否かを検出して係止位置にあることを示す係止位置検出信号を出力するロック検出手段を前記各ロック部材のそれぞれに対応して設け、
前記画像記録部は、前記係止位置検出信号が、全ての前記ロック部材で検出されたときに画像記録動作を可能とすることを特徴とする請求項４記載の画像記録装置。
【請求項６】
前記画像記録部が記録材料に対して画像記録を行っている間は、前記ロック部材を前記係止位置に保持するロック制御部を備えたことを特徴とする請求項４又は５記載の画像記録装置。
【請求項７】
前記マガジン受け部材を前記装着面に取り付けるヒンジを備え、このヒンジによる前記マガジン受け部材の回転によって前記装着位置及び前記装着不能位置に前記マガジン受け部材を切り替えることを特徴とする請求項１から６のいずれか１項に記載の画像記録装置。
【請求項８】
前記マガジン受け部材を前記装着面に平行な閉じ板部と前記装着面に垂直な受け板部とから構成して、前記受け板部を前記筐体に設けたスライド保持部によってスライド自在に保持し、前記マガジン受け部材のスライドによって前記装着位置及び前記装着不能位置に前記マガジン受け部材を切り替えることを特徴とする請求項１から６のいずれか１項に記載の画像記録装置。
【請求項９】
前記各マガジンは、内部に収納した記録材料を送り出すための送り出し口を備え、
前記装着面は、記録材料を前記筐体の内部に引き込むために前記各マガジンのそれぞれに対応して設けられた引き込み口を備え、
前記各引き込み口は、前記装着位置にある前記各マガジン受け部材に装着された前記マガジンの前記送り出し口と対面するとともに、前記装着不能位置にある前記各マガジン受け部材によって塞がれることを特徴とする請求項１から８のいずれか１項に記載の画像記録装置。
【請求項１０】
前記各マガジンは、前記送り出し口を塞ぐ閉じ位置と開放する開き位置との間で移動自在な第１シャッタ部材と、この第１シャッタ部材を前記閉じ位置側に付勢する第１弾性部材と、押圧によって前記第１シャッタ部材を前記開き位置側に移動させる第１開閉部材と、前記送り出し口を取り囲むように前記各マガジンの外面側に形成された第１枠部材とを備え、
前記筐体は、前記各引き込み口を塞ぐ閉じ位置と開放する開き位置との間で移動自在な第２シャッタ部材と、この各第２シャッタ部材を前記閉じ位置側に付勢する第２弾性部材と、押圧によって前記各第２シャッタ部材を前記開き位置側に移動させる第２開閉部材と、前記各引き込み口を取り囲むように前記筐体の外面側に形成され、前記第１枠部材と嵌合する第２枠部材とを備え、
前記各マガジン受け部材に前記マガジンを装着する際に、前記第１枠部材と前記第２枠部材とが嵌合した後、前記第１開閉部材と前記第２開閉部材とが当接して、前記閉じ位置にある前記第１シャッタ部材と前記第２シャッタ部材とを前記開き位置に移動させることを特徴とする請求項９記載の画像記録装置。
【請求項１１】
前記第２弾性部材は、前記第１弾性部材よりも前記閉じ位置側に付勢する力が弱く、前記各マガジン受け部材に前記マガジンを装着する際に、前記第２シャッタ部材が先に前記開き位置に移動し、前記各マガジン受け部材から前記マガジンを取り外す際には、前記第１シャッタ部材が先に前記閉じ位置に移動することを特徴とする請求項１０記載の画像記録装置。
【発明の詳細な説明】
【技術分野】
【０００１】
本発明は、記録材料を収納した複数のマガジンが装着される筐体と、前記各マガジンのいずれかから引き出された記録材料に対して画像記録を行う画像記録部とを備えた画像記録装置に関する。
【背景技術】
【０００２】
【特許文献１】特願２００４−００２３９９号
【０００３】
写真フィルムに記録された画像やデジタルスチルカメラなどで撮像されたデジタル画像からプリント写真を生成する写真現像所では、その生成に際してプリンタプロセサと呼ばれる画像記録装置が用いられている。プリント写真の記録材料は、感光性を有する印画紙であるため、この印画紙をプリンタプロセサに供給する場合には、遮光性を有する筐体に印画紙を収納した、いわゆるマガジンの形式が一般に採用されており、印画紙の感光を防止している。プリンタプロセサは、装着されたマガジンから印画紙を引き出して画像を露光記録し、現像処理と乾燥処理とを行ってプリント写真を作成する。
【０００４】
上記特許文献１では、複数のマガジンを印画紙の搬送方向や幅方向に並べて装置の外面に装着したプリンタプロセサが記載されている。このプリンタプロセサでは、幅方向に並べられたマガジンから複数列で印画紙を供給して大量のプリント写真を効率よく作成するとともに、装置の外面にマガジンを装着するので、マガジンの交換を容易に行うことができる。
【発明の開示】
【発明が解決しようとする課題】
【０００５】
しかしながら、上記特許文献１に記載のプリンタプロセサでは、１つのマガジンから引き出した印画紙に画像を露光記録しているときでも他のマガジンの交換が可能であるため、その交換時の衝撃などが露光記録に影響を与え、いわゆる露光ムラが発生するといった問題があった。
【０００６】
本発明は、上記課題を鑑みてなされたものであって、記録材料を収納した複数のマガジンを装置の外面に装着可能な画像記録装置にあって、マガジンの交換による画像記録の乱れを防止することを目的とする。
【課題を解決するための手段】
【０００７】
上記課題を解決するため、本発明の画像記録装置は、記録材料を収納した複数のマガジンが装着される装着面を有する筐体と、前記各マガジンのいずれかから送られた記録材料に対して画像記録を行う画像記録部と、前記各マガジンのそれぞれに対応して前記筐体に設けられ、前記マガジンの装着を可能とする装着位置と、前記マガジンの装着を不能とする装着不能位置とを択一的に形成するマガジン受け部材とを備えたことを特徴とする。
【０００８】
なお、請求項１に係る画像記録装置の前記マガジン受け部材は、前記装着面と略垂直な方向に突出して前記装着位置を形成し、前記装着面と略面一となるように前記装着位置から退避して前記装着不能位置を形成することが好ましい。
【０００９】
また、請求項１又は２に係る画像記録装置は、前記マガジン受け部材が前記装着不能位置にあるか否かを検出して装着不能であることを示す装着不能位置検出信号を出力する装着不能位置検出手段と、前記装着位置にある前記マガジン受け部材に前記マガジンが装着されているか否かを検出して装着されていることを示すマガジン検出信号を出力するマガジン検出手段と、を前記各マガジン受け部材のそれぞれに対応して設け、前記画像記録部は、前記装着不能位置検出信号と前記マガジン検出信号とのいずれか一方が、全ての前記マガジン受け部材で検出されたときに画像記録動作を可能とすることが好ましい。
【００１０】
また、請求項１又は３に係る画像記録装置は、前記装着位置にある前記マガジン受け部材に装着された前記マガジンを係止して、このマガジンの脱落を防止する係止位置と、係止を解除して前記マガジンの着脱を可能にする解除位置との間で移動するロック部材を前記各マガジン受け部材のそれぞれに対応して設け、このロック部材で前記装着不能位置にある前記マガジン受け部材を係止して前記装着不能位置に保持することが好ましい。
【００１１】
また、請求項４に係る画像記録装置は、前記ロック部材が前記係止位置にあるか否かを検出して係止位置にあることを示す係止位置検出信号を出力するロック検出手段を前記各ロック部材のそれぞれに対応して設け、前記画像記録部は、前記係止位置検出信号が、全ての前記ロック部材で検出されたときに画像記録動作を可能とすることが好ましい。
【００１２】
さらに、請求項４又は５に係る画像記録装置は、前記画像記録部が記録材料に対して画像記録を行っている間は、前記ロック部材を前記係止位置に保持するロック制御部を備えることが好ましい。
【００１３】
また、請求項１から６のいずれか１項に係る画像記録装置は、前記マガジン受け部材を前記装着面に取り付けるヒンジを備え、このヒンジによる前記マガジン受け部材の回転によって前記装着位置及び前記装着不能位置に前記マガジン受け部材を切り替えることが好ましい。
【００１４】
なお、請求項１から６のいずれか１項に係る画像記録装置は、前記マガジン受け部材を前記装着面に平行な閉じ板部と前記装着面に垂直な受け板部とから構成して、前記受け板部を前記筐体に設けたスライド保持部によってスライド自在に保持し、前記マガジン受け部材のスライドによって前記装着位置及び前記装着不能位置に前記マガジン受け部材を切り替えるようにしてもよい。
【００１５】
また、請求項１から８のいずれか１項に係る画像記録装置の前記各マガジンは、内部に収納した記録材料を送り出すための送り出し口を備え、また前記装着面に、記録材料を前記筐体の内部に引き込むために前記各マガジンのそれぞれに対応して設けられた引き込み口を備え、前記各引き込み口を、前記装着位置にある前記各マガジン受け部材に装着された前記マガジンの前記送り出し口と対面させるとともに、前記装着不能位置にある前記各マガジン受け部材によって塞ぐことが好ましい。
【００１６】
また、請求項９に係る画像記録装置の前記各マガジンは、前記送り出し口を塞ぐ閉じ位置と開放する開き位置との間で移動自在な第１シャッタ部材と、この第１シャッタ部材を閉じ位置側に付勢する第１弾性部材と、押圧によって前記第１シャッタ部材を前記開き位置に移動させる第１開閉部材と、前記送り出し口を取り囲むように前記マガジンの外面側に形成された第１枠部材とを備え、また前記筐体に、前記各引き込み口を塞ぐ閉じ位置と開放する開き位置との間で移動自在な第２シャッタ部材と、この第２シャッタ部材を前記閉じ位置側に付勢する第２弾性部材と、押圧によって前記各第２シャッタ部材を前記開き位置側に移動させる第２開閉部材と、前記各引き込み口を取り囲むように前記筐体の外面側に形成され、前記第１枠部材と嵌合する第２枠部材とを備え、前記各マガジン受け部材に前記マガジンを装着する際に、前記第１枠部材と前記第２枠部材とが嵌合した後、前記第１開閉部材と前記第２開閉部材とが当接して、前記閉じ位置にある前記第１シャッタ部材と前記第２シャッタ部材とが前記開き位置に移動することが好ましい。
【００１７】
また、請求項１０に係る画像記録装置の前記第２弾性部材は、前記第１弾性部材よりも前記閉じ位置側に付勢する力が弱く、前記各マガジン受け部材に前記マガジンを装着する際に、前記第２シャッタ部材が先に前記開き位置に移動し、前記各マガジン受け部材から前記マガジンを取り外す際には、前記第１シャッタ部材が先に前記閉じ位置に移動することが好ましい。
【発明の効果】
【００１８】
本発明の画像記録装置によれば、記録材料を収納した複数のマガジンが装着される装着面を有する筐体と、各マガジンのいずれかから送られた記録材料に対して画像記録を行う画像記録部と、各マガジンのそれぞれに対応して筐体に設けられ、マガジンの装着を可能とする装着位置と、マガジンの装着を不能とする装着不能位置とを択一的に形成するマガジン受け部材とを備えたことにより、例えば、画像記録部が記録材料に画像記録を行っている際には、マガジンが装着されていないマガジン受け部材を必ず装着不能位置にしておくことでマガジンの装着が行えなくなるので、マガジンの装着により衝撃が加わって画像記録に悪影響を与えることを防止することができる。
【発明を実施するための最良の形態】
【００１９】
［第１実施形態］
図１は、本発明のプリンタプロセサ（画像記録装置）の構成を概略的に示す説明図である。プリンタプロセサ１０は、記録材料としての印画紙１１を収納した複数のマガジン１２を側面（装着面）１３ａに装着する筐体１３と、印画紙１１を搬送する搬送路１４、１５と、搬送路１５の上で印画紙１１を幅方向に移動させる振り分け部１６と、各マガジン１２のいずれかから引き出された印画紙１１に対して画像記録を行う画像記録部１７と、画像記録が行われた印画紙１１に現像処理を施す現像処理部１８と、現像処理後に印画紙１１の乾燥を行う乾燥部１９と、画像記録と現像処理とを経てプリント写真が形成された印画紙１１を集積する集積部２０と、図示せぬ配線を介して各部１４〜２０などと接続されてプリンタプロセサ１０全体の動作を制御するシステムコントローラ２１とから構成されている。なお、搬送路１４、１５は、図示せぬガイド部材と、搬送ローラ対２２、２３とで構成され、各マガジン１２から引き出された印画紙１１を集積部２０に向けて搬送する。また、搬送ローラ対２２、２３は、図示を簡略化しているが、印画紙１１の挟持搬送が可能な間隔で搬送路１４、１５に配されている。
【００２０】
また、システムコントローラ２１には、使用者によって操作されるキー入力部２４と、各種設定画面などを表示するディスプレイ２５とが接続されている。システムコントローラ２１は、キー入力部２４を介して入力された使用者からの指令に基づいて、各部１４〜２０などの制御を行う。
【００２１】
図２は、各マガジン１２の構成を概略的に説明する断面図である。マガジン１２は、ロール状に巻かれた長尺の印画紙１１を収納するマガジン本体３０と、このマガジン本体３０内でロール状の印画紙１１を回動自在に支持する支持軸３１と、印画紙１１を送り出すためのローラ対３２とを備えている。また、マガジン本体３０の一面には、内部に収納した印画紙１１を送り出すための送り出し口３３が形成されており、この送り出し口３３を塞ぐ閉じ位置（図中実線で示される位置）と開放する開き位置（図中二点鎖線で示される位置）との間で移動自在なシャッタ部材（第１シャッタ部材）３４と、このシャッタ部材３４を閉じ位置側に付勢するコイルバネ（第１弾性部材）３５と、押圧によってシャッタ部材３４を開き位置側に移動させるピン（第１開閉部材）３６と、送り出し口３３を取り囲むようにマガジン本体３０の外面側に形成された遮光枠（第１枠部材）３７とが設けられている。
【００２２】
シャッタ部材３４は、２箇所を同一の方向に折り曲げた板材であって、その内側に突出した突起部材３４ａの一端に接続される支持軸３４ｂを介してマガジン本体３０に回動自在に取り付けられており、支持軸３４ｂを中心として回動することにより送り出し口３３を塞ぐ閉じ位置と開放する開き位置との間で移動する。また、ローラ対３２とシャッタ部材３４との間には、ローラ対３２によって送り出された印画紙１１をシャッタ部材３４までガイドするためのガイド板３８及び３９が設けられている。コイルバネ３５は、シャッタ部材３４とガイド板３９から鉛直方向に突出した受け板３９ａとによって支持され、シャッタ部材３４を閉じ位置側に付勢する。ピン３６は、一端がシャッタ部材３４と当接し、他端が外部に突出する棒状の部材であり、外部に突出する側の端部を押圧することによってコイルバネ３５を押し縮めて、シャッタ部材３４を開き位置に移動させる。
【００２３】
図３、図４及び図５に示すように、マガジン１２が装着される筐体１３の側面１３ａには、各マガジン１２に対応し、側面１３ａと略垂直な方向に突出してマガジン１２の装着を可能とする装着位置（図４参照）と、この装着位置から退避してマガジン１２の装着を不能とする装着不能位置（図５参照）との間で移動自在なマガジン台（マガジン受け部材）４０と、装着不能位置にあるマガジン台４０を係止してマガジン台４０が装着位置に移動することを防止するとともに、装着位置にあるマガジン台４０に装着されたマガジン１２を係止してマガジン１２が取り外されることを防止する係止位置（図４参照）と、これらの係止を解除する解除位置（図５参照）との間で移動するロック機構（ロック部材）４１と、印画紙１１を筐体１３の内部に引き込むために各マガジン１２に対応して設けられた引き込み口４２とが設けられている。なお、本実施形態においては、２列３段、計６個のマガジン台４０を用意しているが、この数は５個以下でも７個以上でもよく、列数や段数についてもこれに限るものではない。また、マガジン１２の幅は全て同サイズであるが、様々な幅サイズのマガジンを用意して、複数のプリントサイズに対応できるようにしてもよい。
【００２４】
マガジン台４０は、マガジン１２を装着する載置面４０ａを有した略板状の形状をなし、一端に形成されたヒンジ４０ｂによって側面１３ａに接続され、このヒンジ４０ｂを軸として回動させることにより、載置面４０ａが上向きに露呈するように側面１３ａと略垂直な方向に突出してマガジン１２の装着を可能とする装着位置と、載置面４０ａと側面１３ａとを当接させて略板状のマガジン台４０と側面１３ａとが略面一になるように退避する装着不能位置との間で移動する。
【００２５】
ロック機構４１は、略Ｌ字型に形成された本体５０と、この本体５０を回動自在に側面１３ａに接続するヒンジ５１と、本体５０の回転軸上に接続される軸棒５２と、この軸棒５２を介して本体５０に接続されるハンドル５３とから構成され、ヒンジ５１を軸として回動することで、本体５０が係止位置と解除位置との間で移動する。また、本体５０は、マガジン台４０のヒンジ４０ｂが形成される端部の反対側の端部と、マガジン本体３０の上面に形成された凸部３０ａ（図２参照）とに係合するように成形されており、係止位置にある際には、装着不能位置にあるマガジン台４０を係止してマガジン台４０が装着位置に移動することを防止するとともに、装着位置にあるマガジン台４０に装着されたマガジン１２を係止してマガジン１２が取り外されることを防止する。
【００２６】
各引き込み口４２は、装着位置にある各マガジン台４０に装着されたマガジン１２の送り出し口３３と対面するとともに、第２位置にある各マガジン台４０によって塞がれる。また、側面１３ａには、各引き込み口４２を取り囲むように遮光枠（第２枠部材）６０が設けられている。この遮光枠６０は、マガジン１２側の遮光枠３７よりもわずかに大きく形成されており、マガジン１２が装着される際にマガジン１２側の遮光枠３７が側面１３ａ側の遮光枠６０に入り込むようにして嵌合する。また、マガジン台４０の装着面４０ａには、マガジン台４０が装着不能位置に移動した際に遮光枠６０を収納するように、この遮光枠６０の外形をわずかに大きくした面積の凹面４０ｃが形成されている。
【００２７】
側面１３ａには上記の他に、マガジン台１２が装着不能位置にあるかを否かを検出して装着不能であることを示す装着不能位置検出信号を出力する装着不能位置検出手段としてのマイクロスイッチ４３と、装着位置にあるマガジン台４０にマガジン１２が装着されているか否かを検出して装着されていることを示すマガジン検出信号を出力するマガジン検出手段としてのマイクロスイッチ４４と、ロック機構４１が係止位置にあるか否かを検出して係止位置にあることを示す係止位置検出信号を出力するロック検出手段としてのホトインタラプタ４５との各種の検出手段がマガジン台４０毎に設けられている。
【００２８】
装着不能位置検出手段としてのマイクロスイッチ４３は、押圧によって接点がＯＮ／ＯＦＦされる機械式のスイッチであって、マガジン台４０が装着不能位置に移動した際に載置面４０ａによって押圧され、かつ装着位置にあるマガジン台４０に装着されるマガジン１２では押圧されない位置に取り付けられている。また、マガジン検出手段としてのマイクロスイッチ４４もマイクロスイッチ４３と同様な機械式のスイッチであり、マガジン１２を装着した際にマガジン１２の遮光枠３７によって押圧されるよう、遮光枠６０の内側に取り付けられている。
【００２９】
ロック検出手段としてのホトインタラプタ４５は、検出溝の間を通過している検出光を遮ることで出力をＨｉ（例えば、＋５Ｖ）からＬｏ（例えば、０Ｖ）、又はＬｏからＨｉに切り替える光学センサであって、ロック機構４１が係止位置に移動した際に、軸棒５２に形成された遮断片５２ａが、ホトインタラプタ４５の検出溝に入り込むように配置されている。
【００３０】
また、マイクロスイッチ４３、４４、及びホトインタラプタ４５は、それぞれシステムコントローラ２１に接続されており、システムコントローラ２１は、これらの検出結果を基にして画像記録部１７での画像記録動作を可能とするか否かを、各マガジン台４０のそれぞれについて下表１のように判定する。
【００３１】
【表１】
2006011288.tif 000003
【００３２】
すなわち、システムコントローラ２１は、装着位置にあるマガジン台４０に装着されたマガジン１２をロック機構４１が係止している状態と、装着不能位置にあるマガジン台４０がロック機構４１で係止されている状態とであるときのみ画像記録部１７での画像記録動作を可能にして画像記録を行い、各マガジン台４０のいずれかがこの２つの状態以外であるときには画像記録部１７での画像記録動作を不能にして、画像記録が行われないように制御する。但し、いずれのマガジン台４０にもマガジン１２が装着されていない状態のときには、画像記録を行わないように制御する。
【００３３】
画像記録部１７での画像記録動作を可能にするか否かを判定したシステムコントローラ２１は、例えば、判定結果に応じて画像記録部１７が印画紙１１への画像記録を行える状態であるか否かをディスプレイ２５に表示して使用者に報知することが好ましい。なお、ディスプレイ２５に限らず、例えば、ランプ（図示せず）の点灯又は消灯で使用者に報知するなど、画像記録を行える状態であるか否かの判別がつくものであれば、如何なるものでもよい。
【００３４】
また、システムコントローラ２１は、画像記録部１７が印画紙１１に対して画像記録を行っている間は、各ロック機構４１を係止位置に保持し、ロック制御部として機能する。ロック機構４１の保持方法としては、例えば、図示せぬロック片を突出させて本体５０を固定するなど、周知の方法を用いればよい。
【００３５】
なお、装着不能位置検出手段、マガジン検出手段、及びロック検出手段の各種検出手段は、上記構成に限ることなく、それぞれの検出が行えるものであれば、如何なるセンサやスイッチを適用してもよい。
【００３６】
図６は、引き込み口４２付近の構成を概略的に示す断面図である。マガジン１２の送り出し口３３と同様にして、引き込み口４２には、この引き込み口４２を塞ぐ閉じ位置（図中実線で示される位置）と開放する開き位置（図中二点鎖線で示される位置）との間で移動自在なシャッタ部材（第２シャッタ部材）６１と、このシャッタ部材６１を閉じ位置側に付勢するコイルバネ（第２弾性部材）６２と、押圧によってシャッタ部材６１を開き位置側に移動させるピン（第２開閉部材）６３とが設けられている。
【００３７】
シャッタ部材６１は、２箇所を同一の方向に折り曲げた板材であって、その内側に突出した突起部材６１ａの一端に接続される支持軸６１ｂを介して筐体１３に回動自在に取り付けられており、支持軸６１ｂを中心として回動することにより引き込み口４２を塞ぐ閉じ位置と開放する開き位置との間で移動する。また、シャッタ部材６１の下流側には、引き込み口４２から引き込まれた印画紙１１をガイドするためのガイド板６４及び６５が設けられている。コイルバネ６２は、シャッタ部材６１とガイド板６５から鉛直方向に突出した受け板６５ａとによって支持され、シャッタ部材６１を閉じ位置側に付勢する。ピン６３は、一端がシャッタ部材６１と当接し、他端が側面１３ａを貫通して外部に突出する棒状の部材であり、外部に突出する側の端部を押圧することによってコイルバネ６２を押し縮めて、シャッタ部材６１を開き位置に移動させる。また、ピン６３の外部に突出する側の端部には、側面１３ａと当接してピン６３の押圧位置を制限する環状部材６３ａが形成されている。また、ガイド板６４及び６５の下流側には、引き込み口４２から引き込まれた長尺な印画紙１１を切断して所定のプリントサイズを形成するカッタ６６が設けられている。
【００３８】
振り分け部１６は、引き込み口４２から引き込まれてカッタ６６によって所定のプリントサイズに切り分けられた印画紙１１（以下、カット印画紙と称す）を幅方向に移動させることが可能であり、画像記録部１７の画像記録領域内の最適な位置、例えば画像記録領域の中央にカット印画紙が搬送されるように、搬送路１５上でカット印画紙を幅方向に移動させる。
【００３９】
画像記録部１７は、例えば、写真フイルムに記録された画像を光電的に読み取って生成するデジタル画像データや、メモリカードなどの記録媒体から読み出すことで得られるデジタル画像データに基づいて強度変調された赤、青、緑の光ビームを走査露光することによってカット印画紙に画像記録を行う。
【００４０】
現像処理部１８には、搬送方向上流側（図中左側）から順に現像槽７０、漂白定着槽７１、第１水洗槽７２、第２水洗槽７３、第３水洗槽７４、及び第４水洗槽７５が設けられている。現像槽７０には現像液が、漂白定着槽７１には漂白定着液が、また第１水洗槽７２〜第４水洗槽７５には洗浄水が、それぞれ所定量貯蔵されている。
【００４１】
現像処理部１８の上方に配置された乾燥部１９は、ヒータで熱せられた乾燥風を吹き出す送風ダクトと、カット印画紙を搬送する搬送ベルトとを備えており、乾燥風を搬送ベルトに向けて吹き出し、カット印画紙を搬送ベルトに押しつけて搬送することで、カット印画紙に付着した洗浄水を除去する。
【００４２】
集積部２０は、複数列で搬送されたカット印画紙を単列に振り戻した後、複数のカット印画紙をプリントジョブ毎にまとめて出力する。
【００４３】
次に、上記構成のプリンタプロセサ１０の作用について説明する。プリンタプロセサ１０の全体を覆う筐体１３の側面１３ａには６個のマガジン台４０が設けられており、それぞれのマガジン台４０にマガジン１２を装着することができる。使用者は、画像記録を行うにあたって、少なくとも１つのマガジン１２をいずれかのマガジン台４０に装着する。このときシステムコントローラ２１は、マガジン台４０毎に設けられたマイクロスイッチ４３、４４、及びホトインタラプタ４５の検出結果を基に、画像記録部１７での画像記録動作を可能にするか否かを各マガジン台４０のそれぞれについて判定し、その判定結果をディスプレイ２５に表示する。
【００４４】
本実施形態においては、マガジン１２が装着されていないマガジン台４０が装着位置にあるときには画像記録部１７での画像記録動作を不能とするようにシステムコントローラ２１が制御するので、画像記録部１７がカット印画紙に対して画像記録を行っているときに、マガジン台４０にマガジン１２が装着されることを防止して、装着時の衝撃などによる画像記録の乱れを防ぐことができる。また、マガジン台４０が装着不能位置にあるときには、側面１３ａに形成された引き込み口４２を塞ぐので、引き込み口４２から光が入射して、他の引き込み口４２から引き込んだ印画紙１１が感光することを防止することができる。
【００４５】
また、マガジン１２の送り出し口３３にシャッタ部材３４を備えたことにより、例えば、マガジン１２をマガジン台４０に装着する際などに送り出し口３３から光が入射して内部に収納する印画紙１１が感光することを防止することができる。また、側面１３ａの引き込み口４２にシャッタ部材６１を備えたことにより、例えば、マガジン１２を交換する際に、他のマガジン１２からそれに対応するカッタ６６まで引き込まれた印画紙１１の感光を防止することができる。
【００４６】
また、画像記録部１７での画像記録動作を可能にするか否かの判定結果をディスプレイ２５に表示するので、使用者に画像記録を行える状態であるか否かを直ぐに認識させることができる。
【００４７】
図７は、マガジン１２をマガジン台４０に装着する際のイメージを概略的に示す説明図である。図７（ａ）に示すように、マガジン１２の遮光枠３７と側面１３ａの遮光枠６０とが嵌合を始める位置で、ピン３６とピン６３とが当接する。コイルバネ６２は、マガジン１２のコイルバネ３５よりも閉じ位置側に付勢する力が弱く設定されており、図７（ｂ）に示すようにマガジン１２を押し込むと、ピン３６がピン６３を押圧してシャッタ部材６１が先に開き位置に移動する。図７（ｃ）に示すようにマガジン１２をさらに押し込むと、環状部材６３ａと側面１３ａとが当接してピン６３がピン３６を押圧し、シャッタ部材３４が開き位置に移動する。遮光枠３７と遮光枠６０とが完全に嵌合する位置まで押し込められると、遮光枠６０の内側に設けられたマイクロスイッチ４４が遮光枠３７の端部によって押圧され、マガジン１２が装着されたことをシステムコントローラ２１が認識する。マガジン台４０に装着されたマガジン１２は、ロック機構４１によって係止される。
【００４８】
また、マガジン１２の交換などにともなってマガジン１２をマガジン台４０から取り外す際には、上記とは反対にマガジン１２を引き離していくことに応じてシャッタ部材３４が先に閉じ位置に移動し、さらに引き離していくことに応じてシャッタ部材６１が閉じ位置に移動する。
【００４９】
上記のようにマガジン１２を装着することにより、シャッタ部材３４が開き位置に移動する際には、嵌合する遮光枠３７及び６０によって遮光されているので、内部に収納する印画紙１１が感光することを防止することができる。
【００５０】
システムコントローラ２１は、上記のように装着されたマガジン１２のいずれかから印画紙１１を筐体１３の内部に引き込み、キー入力部２４を介して入力された使用者からの指令に基づいてカッタ６６を駆動し、長尺な印画紙１１を所定の長さで切断してカット印画紙を形成する。
【００５１】
所定のプリントサイズに切り分けられたカット印画紙は、搬送路１４及び１５によって振り分け部１６に搬送され、画像記録部１７の画像記録領域内の最適な位置となるように幅方向に移動した後、画像記録部１７に送られて画像記録が行われる。
【００５２】
システムコントローラ２１が、画像記録中もマイクロスイッチ４３、４４、及びホトインタラプタ４５の検出結果を基にして画像記録部１７での画像記録動作を可能にするか否かの判定を行う場合、画像記録中にマガジン１２が装着位置にあるマガジン台４０から取り外されたり、装着不能位置にあるマガジン台４０が装着位置に移動すると、画像記録部１７での画像記録動作が不能となるので画像記録が中断されてしまう。一方、画像記録中は判定を行わない場合、装着不能位置にあるマガジン台４０を装着位置に移動させて、マガジン１２を装着することが可能になってしまう。
【００５３】
本実施形態では、画像記録部１７がカット印画紙に対して画像記録を行っている間は、システムコントローラ２１が各ロック機構４１を係止位置に保持するように制御することで、上述の問題が発生することを防止している。
【００５４】
画像記録が行われたカット印画紙は、引き続き搬送路１５によって搬送され、現像槽７０、漂白定着槽７１、第１水洗槽７２、第２水洗槽７３、第３水洗槽７４、及び第４水洗槽７５を通過して現像、漂白定着、洗浄の各処理が行われる。
【００５５】
現像処理まで終えたカット印画紙は、乾燥部１９に送られて洗浄水が除去された後に集積部２０に搬送され、プリントジョブ毎にまとめられて筐体１３の外部に出力される。
【００５６】
なお、幅方向に並べられた複数のマガジン１２（本実施形態では２個）から同時に印画紙１１を引き込んで、複数列で搬送して画像記録などの各種の処理を行い、処理速度の高速化を図るようにしてもよい。
【００５７】
［第２実施形態］
各マガジン台４０は図８に示すように、マガジン１２を装着する載置面８０ａを有した受け板部８０と、この受け板部８０の端部に略垂直に取り付けられる閉じ板部８１とからなる略Ｌ字型の形状にして、受け板部８０を筐体１３に設けられたスライド保持部８２によってスライド自在に保持し、マガジン台４０をスライドさせることによって、載置面８０ａが上向きに露出するように筐体１３の側面１３ａと略垂直な方向に突出してマガジン１２の装着を可能とする装着位置と、閉じ板部８１と筐体１３の側面１３ａとが当接するまで筐体１３の内部に受け板部８０を収納し、閉じ板部８１と筐体１３の側面１３ａとが略面一になるように退避する装着不能位置との間で移動するようにしてもよい。
【００５８】
なお、スライド保持部８２は、例えば、上下に配されたローラで受け板部８０を挟持するローラ対や、移動方向に複数並べられた回動自在のボールで受け板部８０を保持するスライドベアリングなど、公知の手段を用いればよい。
【００５９】
なお、上記第１、第２実施形態においては、筐体１３の側面１３ａにマガジン受け部材としてのマガジン台４０を設けたが、これは筐体１３の上面など他の面に設けてもよく、この場合にも、複数のマガジン受け部材を装着位置と装着不能位置とに選択的にセットすることで、上記実施形態と同様に画像記録中にマガジンが装着されることを防止して、装着による振動や衝撃などに起因する露光ムラなどを無くすことができる。
【産業上の利用可能性】
【００６０】
上記実施形態では、画像記録装置として、デジタル画像データに基づいて走査露光を行うことでプリント写真を生成するプリンタプロセサを例にして説明したが、本発明はこれに限ることなく、例えば、フィルムからの投影光で画像を直接記録するタイプのプリンタプロセサや、感熱プリンタ、熱転写プリンタ、及びインクジェットプリンタなど、他のタイプの画像記録装置にも適用可能である。
【図面の簡単な説明】
【００６１】
【図１】画像記録装置の構成を概略的に示す説明図である。
【図２】マガジンの構成を概略的に説明する断面図である。
【図３】マガジンが装着される側面の構成を概略的に説明する斜視図である。
【図４】第１位置にあるマガジン台の構成を概略的に説明する斜視図である。
【図５】第２位置にあるマガジン台の構成を概略的に説明する斜視図である。
【図６】引き込み口の構成を概略的に説明する断面図である。
【図７】マガジンをマガジン台に装着する際のイメージを概略的に示す説明図である。
【図８】マガジン台の第２の実施形態を概略的に説明する斜視図である。
【符号の説明】
【００６２】
１０  プリンタプロセサ（画像記録装置）
１１  印画紙（記録材料）
１２  マガジン
１３  筐体
１３ａ  側面（装着面）
１８  画像記録部
２１  システムコントローラ（ロック制御部）
２５  ディスプレイ
３３  送り出し口
３４  シャッタ部材（第１シャッタ部材）
３５  コイルバネ（第１弾性部材）
３６  ピン（第１開閉部材）
３７  遮光枠（第１枠部材）
４０  マガジン台（マガジン受け部材）
４０ｂ  ヒンジ
４１  ロック機構（ロック部材）
４２  引き込み口
４３  マイクロスイッチ（位置検出手段）
４４  マイクロスイッチ（マガジン検出手段）
４５  ホトインタラプタ（ロック検出手段）
６０  遮光枠（第２枠部材）
６１  シャッタ部材（第２シャッタ部材）
６２  コイルバネ（第２弾性部材）
６３  ピン（第２開閉部材）
８０  受け板部
８１  閉じ板部
８２  スライド保持部
【図１】
2006011288.tif 000004
【図２】
2006011288.tif 000005
【図３】
2006011288.tif 000006
【図４】
2006011288.tif 000007
【図５】
2006011288.tif 000008
【図６】
2006011288.tif 000009
【図７】
2006011288.tif 000010
【図８】
2006011288.tif 000011